(57)【特許請求の範囲】
【請求項１】
無線通信装置に対する無線リソースの割当て方法において、
ポーリング信号の送信を行って、該ポーリング信号に対する応答信号に従って、データ送信用の無線リソースの割当てを行い、
上りデータの送信レートを算出し算出した送信レートが、ポーリング信号の送信を省略する条件である最大許容レートに到達したと判定すると、ポーリング信号の送信を休止して、データ送信用の無線リソースの割当てを行う、
ことを特徴とする無線リソースの割当て方法。
【請求項２】
無線端末から無線基地局に送信される上りデータの送信レートを算出するステップと、
その算出した送信レートが、ポーリング信号の送信を省略する条件である最大許容レートに到達したと判定するステップと、
前記送信レートが最大許容レートに到達したと判定されたときに、前記ポーリングを休止するステップと、
前記ポーリングの休止分に相当する無線リソースも加えて、前記上りデータのための無線リソースを割り当てるステップと、
を有する上り無線リソースの割当て方法。
【請求項３】
前記の判定ステップにおいて、算出された前記送信レートが最大許容レート未満であるとき、前記無線端末に対し前記ポーリングを実行する請求項２に記載の上り無線リソースの割当て方法。
【請求項４】
前記の算出ステップと、前記の判定ステップとを、前記無線基地局において行う請求項２に記載の上り無線リソースの割当て方法。
【請求項５】
前記の算出ステップと、前記の判定ステップとを、少なくとも１つの前記無線端末において行い、かつ、
当該無線端末において、前記算出された送信レートが最大許容レートに到達したと判定されたときに、前記ポーリングを休止すべき旨の通知を、前記無線基地局に送信する請求項２に記載の上り無線リソースの割当て方法。
【請求項６】
無線基地局と、データを収容する無線リソースの割り当てを受けながら上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおける該無線基地局であって、
前記無線端末から受信した上りデータの送信レートを算出する算出機能部と、
前記の算出された送信レートがポーリング信号の送信を省略する条件である最大許容レートに到達したか否かを判定する判定機能部と、
前記送信レートが最大許容レートに到達したと判定されたときに、前記ポーリングを休止して、そのポーリングの休止分に相当する無線リソースも加えて、前記上りデータのための無線リソースを割り当てる割当て機能部と、
を有する無線基地局。
【請求項７】
無線基地局と、データを収容する無線リソースの割当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおける該無線基地局であって、
前記無線端末内において上りデータの送信レートを算出し、その算出された送信レートがポーリング信号の送信を省略する条件である最大許容レートに到達したことを判定したときに該無線端末より通知される最大レート情報を受信する最大レート受信機能部と、
前記最大レート情報を受信したときに、前記ポーリングを休止して、そのポーリングの休止分に相当する無線リソースも加えて、前記上りデータのための無線リソースを割り当てる割当て機能部と、
を有する無線基地局。
【請求項８】
請求項６に記載の無線基地局と連携する無線端末。
【請求項９】
無線基地局と、データを収容する無線リソースの割当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおける該無線端末であって、
前記無線基地局に送信される上りデータの送信レートを算出する算出機能部と、
前記の算出された送信レートがポーリング信号の送信を省略する条件である最大許容レートに到達したか否かを判定する判定機能部と、
前記の算出された送信レートが最大許容レートに到達したことを判定したときに前記無線基地局に最大レート情報を通知する最大レート情報送信機能部と、を含んでなり、
前記無線基地局は、該最大レート情報が通知されたとき、前記ポーリングを休止して、そのポーリングの休止分に相当する無線リソースも加えて、前記上りデータのための無線リソースを割り当てる無線端末。
【請求項１０】
無線基地局と、データを収容する無線リソースの割当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおいて、コンピュータに、
各前記無線端末から前記無線基地局に送信される上りデータの送信レートを算出する手順と、
前記の算出された送信レートがポーリング信号の送信を省略する条件である最大許容レートに到達したか否かを判定する手順と、
前記送信レートが最大許容レートに到達したと判定されたときに、前記ポーリングを休止する手順と、
前記ポーリングの休止分に相当する無線リソースも加えて、前記上りデータのための無線リソースを割り当てる手順と、
を実行させる無線リソースの割当てプログラム。
【発明の詳細な説明】
【技術分野】
【０００１】
無線基地局と、複数の無線端末とを備えた無線通信システムにおける無線リソースの割当て方法に関する。
【背景技術】
【０００２】
無線リソースの割り当てを行う無線通信技術の１つとして、ＩＥＥＥ８０２．１６が注目されている。このＩＥＥＥ８０２．１６は、電話回線や光ファイバ回線などの代わりに、通信事業者とユーザ宅との間を無線にて接続し、都市部や特定地域におけるＬＡＮ（Local Area Network）などを相互に接続する広域ネットワークであるＭＡＮ（Metropolitan Area Network）を無線化するＷｉｒｅｌｅｓｓ  ＭＡＮを構築する技術を規定する。この技術によれば、１台の無線基地局が、最大７０Ｍビット／秒程度の伝送速度をもって、半径約５０km程度のエリアをカバーすることができる。
【０００３】
現在、ＩＥＥＥ８０２．１６  Ｗｏｒｋｉｎｇ  Ｇｒｏｕｐにおいては、主に固定通信用途向けの８０２．１６ｄ仕様（８０２．１６−２００４）と、モバイル通信用途向けの８０２．１６ｅ仕様（８０２．１６ｅ−２００５）の標準化が進められている。
【０００４】
図１４は従来の無線通信システムの構成例を示す図である。本図の無線通信システム１は、無線基地局（ＢＳ）２と、少なくとも１つの無線端末（ＭＳ）３とを備え、相互間で無線信号を送受信して、下りリンクＤＬ（ＢＳ→ＭＳ）および上りリンクＵＬ（ＭＳ→ＢＳ）での通信が行われる。なお、ＩＥＥＥ８０２．１６ｅに準拠する場合、上記無線信号の送受信は、ＯＦＤＭＡ（Orthogonal Frequency Division Multiplexing Access）を用いて作成された無線フレームによって行われる。
【０００５】
図１５はＩＥＥＥ８０２．１６ｅに準拠した無線フレームの一例を示す図である。本図において、横軸は、シンボル単位で表される時間方向を意味し、縦軸は複数のサブキャリアをグループ化した単位である論理サブチャネルにより表される周波数方向を意味する。なお、本図は、上りと下りの多重化方式にＴＤＤ（Time Division Duplexing）を用いた例を示しており、無線フレーム４の前半のＤＬ（Down Link）サブフレームと、後半のＵＬ（Up Link）サブフレームとに分かれている。このＤＬサブフレームは、プリアンブル（シンボルｋ）と、ＦＣＨ（Frame Control Header（シンボルｋ＋１）：ＤＬ−ＭＡＰの長さ、符号化方式、繰り返し回数等の情報を含む）と、ＤＬ−ＭＡＰ（Down Linkサブフレーム上のバースト（本図ではＤＬ  ｂｕｒｓｔ＃１〜＃６）の割当て状態を示す）と、ＵＬ−ＭＡＰ（Up Linkサブフレーム上のバースト（本図ではＲａｎｇｉｎｇ  ｓｕｂｃｈａｎｎｅｌ  Ｒｓ（シンボルｋ＋１７−ｋ＋２６）と、ＵＬ  ｂｕｒｓｔ＃１〜＃５）の割当て状態を示す）と、ＤＬバースト（ＭＳ３宛のデータやメッセージを格納する）と、により構成される。ここにＵＬサブフレームでは、ＵＬ−ＭＡＰに示されたマッピング（本図中の点線右矢印参照）に基づき、Ｒａｎｇｉｎｇ  ｓｕｂｃｈａｎｎｅｌ  Ｒｓなどの特殊領域またはＵＬバーストを用いて、ＭＳ３が、制御メッセージや上りデータをＢＳ２へ送信する。
【０００６】
図１５より明らかなように、ＩＥＥＥ８０２．１６ｅでは、ＭＳ３からの上り方向（ＵＬ）の通信は全て、ＢＳ２が作成するＵＬ−ＭＡＰに従って行われる。このため、ＩＥＥＥ８０２．１６ｅでは、ＭＳ３がＢＳ２から、上りデータ送信のためのＵＬバーストの割当てを受けるための通信制御方法として、ｓｃｈｅｄｕｌｉｎｇ  ｔｙｐｅが数種類規定されている。
【０００７】
図１６（Ａ）および（Ｂ）は、ＭＳ３における上りデータの発生と、ＢＳ−ＭＳ間での送信制御の様子を示す図である。ＭＳ３においてはＷｅｂ、音声、動画など様々なアプリケーションが実行されるが、ここでは、「無音圧縮」を行う音声やＴＶ会議のように、データのリアルタイム性が高く、かつ発生するデータ量が時間的に変動するような可変データレート型のアプリケーションを想定する。
【０００８】
上りデータが発生している期間では、ＢＳ２はＭＳ３に対して、上りデータを送信するためのＵＬバーストを割当てる必要がある。一方、上りデータが無い期間では、ＵＬバーストを割当てる必要はない。通常、データの発生期間はＭＳ３のアプリケーション毎に独立であるため、あるＭＳの上りデータが無い期間は、上りデータが発生している他のＭＳに無線リソースを割当てることによって、無線リソースの利用効率を高め、ＢＳ２全体での上りスループットを高めることができる。
【０００９】
このように、効率的に無線リソースを利用するためには、ＭＳ３における上りデータの有り／無しに応じて、ＢＳ２にて、ＵＬバースト割当ての必要性の可否を動的かつ速やかに認識し、ＢＳ２でのスケジューリングに反映することが必要である。このようなリアルタイム系可変レート型のトラフィック特性を持つ上りコネクションに適した通信制御方法として、ＩＥＥＥ８０２．１６ｅでは、ｒｔＰＳ（real-time polling service）というｓｃｈｅｄｕｌｉｎｇ  ｔｙｐｅが規定されている。
【００１０】
図１６には、ＢＳ２とＭＳ３との間における、上記のｒｔＰＳを用いた上り送信制御のシーケンスを示している。このｒｔＰＳでは、ＢＳ２からＭＳ３に対して、定期的にポーリングを行う。ここで、ＩＥＥＥ８０２．１６ｅにおけるポーリングとは、ＭＳ３がＢＳ２へ、ＵＬバーストの割当て要求を行うために、前述したＢＲメッセージの送信に必要なサイズ（６バイト）のＵＬバーストを割当てることを意味する。このポーリングとして割り当てられるＵＬバーストと、アプリケーションの上りデータを送信するために割り当てられるＵＬバーストは、バーストのサイズが違うだけであっていずれも図１５に示したように、ＵＬ−ＭＡＰで指定されるＵＬサブフレーム上のスロット領域によって構成される。
【００１１】
ＢＳ２からポーリングが行われた際、ＭＳ３にて送信すべき上りデータが発生している場合には、ポーリングにより割り当てられたＵＬバーストを用いて、ＭＳ３はＢＳ２へＢＲメッセージを送信して、ＭＳ３が送信したい上りデータのサイズ（単位はバイト）を通知する。
【００１２】
そのＢＲメッセージを受信したＢＳ２は、他のＭＳからのＢＲメッセージなども合わせて考慮した、スケジューラでのスケジューリングにより、ＵＬバーストの割当て対象となるＭＳの選択と、その割当てバーストサイズとを決定する。
【００１３】
このスケジューリングの結果として、ＢＳ２は上記のＵＬ−ＭＡＰを生成し、引き続く無線フレーム４のＤＬサブフレームにおいて、そのＵＬ−ＭＡＰを全ＭＳへ向けてブロードキャストする。各ＭＳは、このブロードキャストにより受信したＵＬ−ＭＡＰを解析して、自身（ＭＳ）に対してＵＬバーストが割り当てられた場合には、このＵＬバーストを用いて上りデータの送信を行う。このＵＬバーストは、通常、ポーリングの場合よりもバーストサイズが大きい。
【００１４】
このように、上記のｒｔＰＳにおける上りデータの送信は、ＢＳ２とＭＳ３との間において、次の４ステップ＜１＞−＜４＞で制御される。
【００１５】
＜１＞ＢＳ→ＭＳ：ポーリング（Bandwidth Request用ＵＬバーストの割当て）を実行する。
＜２＞ＭＳ→ＢＳ：ＢＲ（Bandwidth Request）メッセージを送信する。
＜３＞ＢＳ→ＭＳ：データ送信用ＵＬバーストを割り当てる。
＜４＞ＭＳ→ＢＳ：ＵＬデータを送信する。
【００１６】
図１６の例では、ＭＳ３において上りトラフィックが発生している部分（図中（Ｂ）上欄の２〜７，１０，１１の部分）のそれぞれで、上記の＜１＞〜＜４＞の送信制御が行われている。一方、上りトラフィックが発生していない部分（図中（Ｂ）上欄の１，８，９の部分）では、上記＜１＞のポーリングは行われるが、送信すべき上りデータが無いため、ＭＳ３はＢＳ２に対して上記＜２＞のＢＲメッセージ送信を行っていない。
【００１７】
なお、ＩＥＥＥ８０２．１６ｅでは、通信開始時において上りコネクションを確立する際に、ＢＳ２とＭＳ３との間で、使用すべきｓｃｈｅｄｕｌｉｎｇ  ｔｙｐｅおよびスケジューリングのためのトラフィックパラメータについて、ネゴシエーションを行う。例えばｒｔＰＳの場合には、下記の各トラフィックパラメータについてネゴシエーションを行う。
【００１８】
・Maximum Latency（最大許容遅延）
・Minimum Reserved Traffic Rate（最小保証レート）
・Maximum Sustained Traffic Rate（最大許容レート）
・Traffic Priority（トラフィック優先度）
・Request／Transmission Policy（ＢＲおよび送信処理に関する属性／ポリシー）
・Unsolicited Polling Interval（ポーリング周期）
【００１９】
ＢＳ２では、上記のパラメータに基づいて、ＭＳ３のコネクションに対するＵＬバースト割当てのためのスケジューリングを行う。なおポーリングの周期は、Unsolicited Polling Intervalで定義される。また、上りデータの送信レートに関するパラメータとして、Minimum Reserved Traffic RateやMaximum Sustained Traffic Rateがある。ＢＳ２では、平均的にMinimum Reserved Traffic Rateを保証しつつ、最大許容レートであるMaximum Sustained Traffic Rateを超えないように、ＵＬバーストの割当てを制御する。
【００２０】
上述の上り通信制御方法によれば、ＭＳ３における上りデータの有無に応じてＵＬバーストの割当てを動的に制御することにより、上り無線リソースを効率良く利用することができる。
【００２１】
なお本発明に特に関連する公知技術として、下記の２つの〔非特許文献〕がある。
【００２２】
【非特許文献１】ＩＥＥＥ  Ｓｔｄ  ８０２．１６TM−２００４
【非特許文献２】ＩＥＥＥ  Ｓｔｄ  ８０２．１６ｅTM−２００５
【発明の開示】
【発明が解決しようとする課題】
【００２３】
しかしながら、ＭＳ３における上りデータの発生状況によっては、次のような非効率性が生じることを発明者は見出した。
【００２４】
図１６の例に示すように、ｒｔＰＳを用いる可変データレート型のトラフィックでは断続的に上りデータが発生し、この上りデータが発生すると、トラフィックパラメータにより規定される最大許容レートにて、上りデータが一時的に継続して送信されるという特徴がある。図１６の例によれば、同図中（Ｂ）の上欄の３〜７の部分において上記の、最大許容レートで上りデータが送信されている。
【００２５】
このとき、ＢＳ２からＭＳ３へのポーリングは、ポーリング周期パラメータに基づき、上りデータの有無に関わらず、常に、同図（Ｂ）上欄の１〜１１で毎回行われている。このため、最大許容レートで上りデータの送信が行われている同図（Ｂ）上欄の３〜７の部分においても、ＢＳ２は常にポーリングを行い、これに応答する形でＭＳ３は、毎回ＢＲメッセージを送信し、ＵＬバーストの割当てを要求している。
【００２６】
しかし、同図（Ｂ）上欄の３〜７のように、上りデータの送信が継続しているような状態では、当然、そのポーリングに対する応答結果は毎回同じはずである。したがって、そのようなポーリングを行ってＭＳ３に割当て要求（ＢＲ）の有無を確認したところでその意味は無く、無駄と言える。
【００２７】
前述したように、ポーリングとして割り当てられるＵＬバーストは、サイズは小さいものの、通常の上りデータ送信と同様に、ＵＬサブフレーム中の無線リソースをその分占有する。また、ＵＬバーストを割り当てる際には、ＵＬ−ＭＡＰの中に、ＵＬ−ＭＡＰ  ＩＥによってＵＬバーストの定義情報を追加する必要がある。このＵＬバースト定義用のＵＬ−ＭＡＰ  ＩＥは、ＣＩＤ（コネクション識別子）、ＵＩＵＣ（ＵＬ−ＭＡＰ  ＩＥ種別）、Ｄｕｒａｔｉｏｎ（スロット数）、Repetition coding indication（データ繰り返し回数）などの情報で構成され、３２ビット（４バイト）の大きさを持っている。このため、ポーリングを１回行うためには、ＵＬ−ＭＡＰにおける４バイトのＵＬ−ＭＡＰ  ＩＥと、ＢＲメッセージのための６バイトのＵＬバーストを合計した１０バイト分の無線リソースが必要となる。この場合、そのポーリング周期が短ければ短いほど、またコネクション数が多ければ多いほど、そのポーリングのために消費されるスロット数は多くなってしまう。
【００２８】
図１５において説明したように、ポーリングのための無線リソースも、データ送信のための無線リソースも、いずれもＵＬサブフレーム中の無線リソースを使用するから、ポーリングで消費される無線リソースの量が多くなれば、その分、データ送信に使用可能な無線リソースの量は少なくなる。これでは、データ送信のための上り無線リソースの利用効率が低下してしまい、ＢＳ２全体として見ると、上りスループットの低下を招くことになる。
【００２９】
このような問題は、IEEE802.16に限らず、無線リソースを割当てを行う他の無線通信システムでも生ずるものと考えられる。
【００３０】
本発明は、無線リソースの割当て方法を工夫して、効率的な無線リソースの割り当てを行うことを目的とする。
【課題を解決するための手段】
【００３１】
本明細書において開示する無線通信装置に対する無線リソースの割当て方法は、（ｉ）ポーリング信号の送信を行って、該ポーリング信号に対する応答信号に従って、データ送信用の無線リソースの割当てを行い、（ii）ポーリング信号の送信を省略する条件を満たすと判定すると、ポーリング信号の送信を休止して、データ送信用の無線リソースの割当てを行う、無線リソースの割当て方法である。
【００３２】
一実施態様としては、無線基地局と、データを収容する無線リソースの割り当てを受けて上りデータをその無線基地局に送信する複数の無線端末とからなるシステムであって、該無線基地局からのポーリングとこれに応答する各無線端末からの上りデータ送信要求とに基づいて上り無線リソースの割当てが行われる無線通信システムにおいて、
該無線端末から該無線基地局への上りデータ、特に該上りデータの送信レートを監視するプロセスと、そしてこの送信レートがある程度以上に大となったか否かを判定するプロセスと、その送信レートがある程度以上に大となったと判定したときに、上記のポーリングを休止させてそのポーリングの休止分に相当する無線リソースを、上りデータの伝送に用いる無線リソースにさらに加えるように、上記の割当てを行うプロセスと、を含むように構成する。
【００３３】
なお、ここで言うポーリングとは、上りデータの送信を要求する各無線端末がその送信要求に係る帯域要求ＢＲ（Bandwidth Request）を上りリンクを介して返送することができるようにするための上りリンク上の無線フレームにおける空きリソースを割当て、その割当てを通知するための上りリンクマップ情報（UL MAP）を、無線基地局から各無線端末への下りリンク上の無線フレームを用いて各無線端末にブロードキャストすることを言う。
【００３４】
上りデータの送信要求が発生している無線端末は、定期的に到来する上記空きリソースに、上記ＢＲ信号を入れて無線基地局へ返送することによりその送信要求（ＢＲ）を伝える。これにより、当該上りデータを送信するための無線リソースの割当てを該無線基地局より受けることができる。
【発明の効果】
【００３５】
無線リソースの利用の効率化が図られる。
【００３６】
このことは、無線基地局（ＢＳ：Base Station）における、システム全体の上りスループットを向上させ、また、個々の上りコネクションにおいて、データの送信レートを保証することができる。
【００３７】
一方、無線端末（ＭＳ：Mobile Station）においてはデータ送信待ちによる遅延時間を短縮して、バッファ溢れによるデータロスを低減するとともに、音声通話やＴＶ会議などのリアルタイム性が強く要求されるアプリケーションにおける通信品質の劣化を抑えることができる。
【発明を実施するための最良の形態】
【００３８】
以下、本発明の実施例について説明する。
本実施例では、無線基地局と無線端末とを含む無線通信システムにおける通信制御において、データの送信状況に応じてポーリングの停止を行い、無線リソースの使用効率の向上を図ることとする。
【００３９】
ここでは、無線端末から無線基地局に向けた方向（上り方向）の通信制御について説明するが、下り方向に適用することもできる。
無線基地局２は、まず、無線端末３に対してデータ送信の要求を確認するために、ポーリングを行い、これに応答して無線端末３から送信される上りデータ送信要求（ＢＲ）に基づいて上り無線リソース（ＵＬ）の割当てを行う。
これにより、無線端末（ＭＳ）３は、無線基地局（ＢＳ）２から、データの送信に利用可能な無線リソースの割り当てを受け、割り当てられた無線リソースを用いて上りデータを無線基地局２に送信する。尚、無線端末（ＭＳ）３は、複数存在してよい。
【００４０】
本実施例においては、次の処理を実行することとする。
図１は、一実施形態による上り無線リソースの割当て方法を示すフローチャートを示す。
ステップＳ１１：各無線端末３から無線基地局２に送信される上りデータの送信状況をチェックする（例えば、実際の送信レート）を算出する。
ステップＳ１２：送信状況が所定の条件を満たすか否か判定する。例えば、その算出された送信レートが所定の基準レート（例えば、最大許容レート）に到達したか否かを判定することで、ポーリングを引き続き行えば、無線端末からデータ送信のための無線リソースの割当て要求がなされることを推定する。
ステップＳ１３：その送信レートが所定の基準レート（例えば、最大許容レート）に到達したと判定されると、ポーリングを休止する。
ステップＳ１４：ポーリングを休止するが、上りデータの送信のための無線リソースを無線端末に引き続き割り当てる。即ち、ポーリングにより無線端末に対して上り無線リソースの割り当てが必要がどうか問い合わせをする処理を省略しつつ、無線リソースの割り当ては必要であるだろうと推定して、無線リソースの割当てを継続して行うのである。
尚、このような無線リソースの割り当て制御は、ポーリング休止期間において仮にポーリングを実施し、そのポーリングに対して無線端末が無線リソースの割当てを要求した場合に、行われる無線リソースの割当てと同様のものとすることができる。
【００４１】
なお上記の判定ステップＳ１２において、所定の条件を満たさない場合（例えば、算出された送信レートが最大許容レート未満であるとき）は、無線端末３に対して通常のポーリングを実行するようにする。
【００４２】
上述したステップのうち、後半のステップＳ１３およびＳ１４については、その主体を無線基地局（ＢＳ）２とすることができ、前半のステップＳ１１およびＳ１２の主体については、ＢＳ２又はＭＳで行うこともできる。例えば、次のように処理を行うこともできる。
【００４３】
（ｉ）算出ステップＳ１１と判定ステップＳ１２とを、無線基地局２において行うか、あるいは
（ii）該算出ステップＳ１１と判定ステップＳ１２とを、少なくとも１つの無線端末３において行い、かつ、当該無線端末３において、所定のポーリング休止条件（例えば、前述の算出された送信レートが基準(最大許容)レートに到達した）と判定されたときに、ポーリングを休止すべき旨の通知を、無線基地局２に送信するようにする。
【００４４】
送信レートが基準（最大許容）レートに到達したと判定されたときに、即座にポーリングを休止することも可能であるが、上り送信データの送信レートが基準（最大許容）レートを維持する可能性が高い場合に、上述したポーリングを省略した無線リソースの割当てを行うと、無線リソースの無駄な割当てが行われる可能性を低減することができる。
【００４５】
そこで、例えば、下記の（ｉ）〜（iii）に示すように、ポーリング休止制御にヒステリシス特性をもたせる方法を採用することもできる。
【００４６】
（ｉ）判定ステップＳ１２において、送信レートが最大許容レートに到達した回数をカウントし、この最大許容レート到達回数が規定回数に到達したと判定したときに、休止ステップＳ１３を実行する。
（ii）割当てステップＳ１４において、割当て回数をカウントし、その割当て回数が規定回数に到達するまで休止ステップＳ１３を実行する。
（iii）割当てステップＳ１４において、判定ステップＳ１２により、前述の算出された送信レート（Ｓ１１）が、最大許容レートに到達したと判定されてからの経過時間を計測し、その経過時間が規定時間に到達するまで休止ステップＳ１３を実行する。
【００４７】
所定の条件として、このような条件を採用することで、送信データの送信レートが基準（最大許容）レートを維持する可能性が高い場合にポーリング休止を行うことができ、無線リソースの割当てを効率的に行うことができる。
【００４８】
次に無線基地局（ＢＳ）２について説明すると、図２は本明細書で開示する一実施形態による無線基地局（ＢＳ）２のブロック図である。本図に示すのは、
無線基地局（ＢＳ）２と、データを収容する無線リソースの割当てを受け、割り当てられた無線リソースを用いて上りデータをこの無線基地局２に送信する複数の無線端末（ＭＳ）３とからなり、無線基地局２からのポーリングとこれに応答する各無線端末３からの上りデータ送信要求（ＢＲ）とに基づいて上り無線リソース（ＵＬ）の割当てが行われる無線通信システム１における無線基地局であり、図示するとおり、
無線端末３から受信した上りデータの送信レートを算出する算出機能部２１と、算出された送信レートが最大許容レートに到達したか否かを判定する判定機能部２２と、送信レートが最大許容レートに到達したと判定されたときに、ポーリングを休止して、そのポーリングの休止分に相当する無線リソースも加えて、上りデータのための無線リソースを割り当てる割当て機能部２３と、を有している。
【００４９】
なお割当て機能部２３は、算出機能部２１で算出された送信レートが最大許容レート未満であるときには、無線端末３に対して通常のポーリングを実行する。
【００５０】
前述の図１において説明したように、算出ステップＳ１１と判定ステップＳ１２とを、無線端末（ＭＳ）３側で行うこともできる。この場合における無線基地局（ＢＳ）２の構成は次のようになる。
【００５１】
図３は本明細書で開示する他の一実施形態による無線基地局（ＢＳ）２のブロック図である。本図に示す無線基地局（ＢＳ）２は、図示するとおり、
無線端末（ＭＳ）３内において上りデータの送信レートを算出し、その算出された送信レートが最大許容レートに到達したことを判定したときに、該無線端末３側より通知される最大レート情報を受信する最大レート受信機能部２４と、その最大レート情報を受信したときに、ポーリングを休止して、そのポーリングの休止分に相当する無線リソースも加えて、上りデータのための無線リソースを割り当てる割当て機能部２５と、を有する。
【００５２】
なお割当て機能部２５は、無線端末（ＭＳ）３内で算出された送信レートが最大許容レートに到達したことを通知された場合に（ポーリングを省略した無線リソースの割当てを希望することを通知された場合に）、無線端末３に対してポーリングを休止する。最大許容レートに到達したことが通知されていない場合（ポーリングを省略した無線リソースの割当てを希望することを通知されない場合）には、引き続きポーリングを行って、無線リソースの割当てを要求するか問い合わせる通常のポーリングを実行する。
【００５３】
次に無線端末（ＭＳ）３について説明すると、図４は図３の無線基地局（ＢＳ）２と連携する無線端末（ＭＳ）３の一実施形態を示すブロック図である。本図に示すのは、
無線基地局（ＢＳ）２と、データを収容する無線リソースの割り当てを受け、割り当てられた無線リソースを用いて上りデータをこの無線基地局２に送信する複数の無線端末（ＭＳ）３とを備え、無線基地局２からのポーリングとこれに応答する各無線端末３からの上りデータ送信要求（ＢＲ）とに基づいて上り無線リソース（ＵＬ）の割当てが行われる無線通信システム１における無線端末であり、図示するとおり、
無線基地局（ＢＳ）２に送信される上りデータの送信レートを算出する算出機能部３１と、その算出された送信レートが最大許容レートに到達したか否かを判定する判定機能部３２と、その算出された送信レートが最大許容レートに到達したことを判定したときに無線基地局２に最大レート情報を通知する最大レート情報送信機能部３３と、を含む。ここに無線基地局２は、その最大レート情報が通知された場合に、ポーリングを休止する一方、引き続き、上りデータのための無線リソースを割り当てるようにする。
【００５４】
以上、図１〜図４を参照して説明した無線リソースの割当て方法は、コンピュータに実行させるプログラムとしても成立する。すなわち、コンピュータに、
各無線端末（ＭＳ）３から無線基地局（ＢＳ）２に送信される上りデータの送信レートを算出する手順と、その算出された送信レートが最大許容レートに到達したか否かを判定する手順と、その送信レートが最大許容レートに到達したと判定されたときに、ポーリングを休止する手順と、そのポーリングを休止する一方、引き続き、上りデータのための無線リソースを割り当てる手順と、を有する上り無線リソースの割当てプログラムである。
【００５５】
図５（Ａ）および（Ｂ）は、本発明の一実施形態によるＢＳ−ＭＳ間での送信制御の様子を示す図である。
【００５６】
本図において、無線基地局（ＢＳ）２では、無線端末（ＭＳ）３からの上りデータを受信する毎に(複数回の受信毎としたり、別途、所定の周期等とすることもできる)、データサイズと送信時間間隔とから、上りデータトラフィックのレートを算出する（図中（Ｂ）上欄の２〜４）。なお、＜１＞〜＜４＞については、図１６で説明したとおりである。
【００５７】
次に、その算出した上りレートが、トラフィックパラメータとして既にネゴシエーションされた最大許容レートに到達しているか否かを判定し、到達している場合には、ポーリングの送信を省略するとともに、ポーリングに対する応答のためのＵＬバーストの割当てを省略し、データ送信のためのＵＬバーストのサイズを決定して、無線リソースの割当てを行う（図中（Ｂ）上欄の５〜７）。
【００５８】
ＩＥＥＥ８０２．１６ｅの規定では、そもそもＵＬバーストにポーリング応答用とか、データ送信用といった明示的な区別はなく、ＢＳ２がＵＬ−ＭＡＰ（図１５）によって割り当てたＵＬバーストのサイズに応じて、例えば、ＭＳ３が、ＢＲメッセージかまたは上りデータの送信に使い分ける。このため、「ポーリングなし」でいきなり上りデータ送信用のＵＬバーストを割り当てたとしても、ＭＳ３は上りデータの送信を行うことができる。
【００５９】
これにより、ポーリングが必要な場合以外はそのポーリングを省略することによって、上り無線リソースの節約が図れ、ユーザデータの送信のためにより一層多くの無線リソースを占有させることができる。尚、節約した無線リソースは、その無線端末の上りデータの送信に利用することもできるし、他の無線端末からのデータ送信に利用することもできる。
【００６０】
図６（Ａ）および（Ｂ）は、本発明の別の一実施形態によるＢＳ−ＭＳ間での送信制御の様子を示す図である。上述の図５の例では、ＢＳ２が主体的に上記の送信制御を実行するが、この図６の例では、ＢＳ２とＭＳ３とが連携して、同様な送信制御を実行する。
【００６１】
すなわちＭＳ３では、ＢＳ２への上りデータを送信する毎に、データサイズと送信時間間隔とから、上りデータトラフィックのレートを算出する（図中（Ｂ）上欄の２〜４）。
【００６２】
次に、その算出した上りレートが、トラフィックパラメータとして既にネゴシエーションされた最大許容レートに到達しているか否かを判定し、到達している場合には、その旨をＢＳ２へ通知（ポーリングを省略した、上り無線リソースの割当てモードへの移行通知）する（図中（Ｂ）上欄の４における４番目の矢印（ＭＳ→ＢＳ）を参照）。この通知は、送信データのＰＤＵ（Protocol Data Unit）に付与するサブヘッダなどの形で送信しても良い。
【００６３】
この通知を受信したＢＳ２は、ポーリングの応答ためのＵＬバーストの割当てを省略（休止）し、上りデータ送信のためのＵＬバーストの割当てを行う（図中（Ｂ）上欄の５〜７）。ここで、上りデータ送信のためのＵＬバーストのサイズを、ポーリング応答のために割り当てるサイズよりも大きいサイズとすることもできるし、同じサイズとしたり、逆に小さくすることもできる。ここでは、サイズを大きくすることで、ポーリングの応答よりもより一層多くのデータを送信できるようにする。いずれ送信することとなるのであるから、ポーリングと、ポーリング応答の送信分だけ、無線リソースの節約をすることができる。
【００６４】
これにより、上述の図５の解決手法と同様に、ポーリングが必要な場合以外はそのポーリングを省略することにより、上り無線リソースの節約が図れ、ユーザデータの送信のためにより一層多くの無線リソースを占有させることができる。
【００６５】
図７はＢＳ２の構成例を示すブロック図である。本図において、外部との通信インタフェースとして、アンテナＡＮＴを具備し、ＭＳ３との間で無線信号の送受信を行う無線インタフェース４６と、上位ネットワークＮＷにおけるルータなどの装置（図示せず）との間で、主にパケットの送受信を行うネットワークインタフェース４１を有する。
【００６６】
ネットワークインタフェース４１を介して受信したＭＳ３宛の下りパケット（ＤＬ）は、パケット識別／バッファ部４２にて、ＭＳおよびコネクション単位で識別された上で、ＳＤＵ（Service Data Unit）として、バッファ４２に一時的に保持される。
【００６７】
スケジューラ４５は、バッファ４２に保持されたユーザデータをチェックし、下りサブフレーム（ＤＬ）内のスロットの割当てを行い、ＤＬ−ＭＡＰ（図１５）を作成する。
【００６８】
スロットが割り当てられた上記ＳＤＵは、ＰＤＵ生成部４３でのＳＤＵ／ＰＤＵ変換（ＭＡＣヘッダやＣＲＣの付与、フラグメント、パッキングなど）と、送信処理部４４での符号化と、変調と、無線フレーム（図１５）生成と、を行った後、無線インタフェース４６により無線信号に変換され、ＭＳ３へ送信される。
【００６９】
逆に、無線インタフェース４６を介して受信したＭＳ３からの上りデータ無線信号（ＵＬ）は、受信処理部５１において受信フレームの抽出と、復調と、復号化とが行われ、次に識別部５２において、制御メッセージとユーザデータとの振分けが行われる。
【００７０】
ユーザデータについては、ＳＤＵ再生部５３においてＰＤＵ／ＳＤＵ変換（デフラグメント、デパッキング、ＭＡＣヘッダやＣＲＣの除去）を行った後、ネットワークインタフェース４１から上位ネットワークＮＷ側へ転送される。
【００７１】
一方、識別部５２において振り分けられた他方の制御メッセージのうち、ＭＳ３からの帯域割当て要求である既述のＢＲ（Bandwidth Request）メッセージは、帯域要求管理部５４に通知され、さらにスケジューラ４５において上り無線リソースのスケジューリングを決定する際のインプット情報として、管理される。
【００７２】
このスケジューラ４５は、帯域要求管理部５４にて管理される、コネクション毎の帯域要求、すなわちＭＳ３における送信待ちの上りデータのデータ量、に応じて、上りサブフレーム（ＵＬ）内の無線リソース割当てを行い、ＵＬ−ＭＡＰ（図１５）を作成する。このＵＬ−ＭＡＰは、送信処理部４４を介して、ＭＳ３へブロードキャストされる。
【００７３】
また、上記の識別部５２において振り分けられた上りユーザデータは、ＳＤＵ再生部５３へ転送されるが、このとき、ユーザデータについてのコネクション識別子およびデータサイズがレート算出部５５に通知される。このレート算出部５５では、コネクション毎に、受信したユーザデータのサイズと受信時刻（フレーム番号）とから、そのコネクションの実効的な上り送信レートを算出する。例えば、今回受信したデータサイズを、前回ユーザデータを受信してからの経過時間で除することによって、短期的な上り送信レートを算出しても良いし、また過去の複数の受信データサイズと受信時刻とから上り送信レートの移動平均を算出しても良い。
【００７４】
次段の判定部５６では、上記レート算出部５５において上述のように算出された上り送信レートと、コネクション確立時にネゴシエーションした最大許容レート（コネクション情報５８としてメモリに保持）とを比較して、この最大許容レートに到達しているか否かを判定する。もし最大許容レートに到達していれば、ポーリング管理部５７に対し、ポーリング省略（休止）の設定を行う。
【００７５】
その設定を受けたスケジューラ４５は、上りスケジューリングを決定する際に、コネクション情報５８およびポーリング管理部５７を参照し、通常のポーリングを行うか、あるいはそのポーリングを省略（休止）して上りユーザデータ送信のための無線リソース割当てを行う。
【００７６】
図８は、図７のＢＳ２におけるポーリング省略動作を示すフローチャートである。
ステップＳ２１：受信処理部５１にて、上り無線フレーム（図１５）を受信する。
ステップＳ２２：識別部５２にて、上りユーザデータか制御メッセージかを識別する。
ステップＳ２３：識別された上りユーザデータＰＤＵのヘッダを解析し、受信データサイズとコネクション識別子とを抽出する。
ステップＳ２４：受信データサイズと、現在時刻と、前回受信時刻とから、ＭＳ３からＢＳ２への上りデータの送信レートを算出する。算出した送信レートは、コネクション識別子とともに、判定部５６へ入力される。
【００７７】
ステップＳ２５：判定部５６にて、コネクション識別子により識別されるコネクションに関するトラフィックパラメータ（最大許容レート）について、コネクション情報（５８）を参照する。
ステップＳ２６：さらにこの判定部５６にて、算出した上りデータの送信レートが最大許容レートに到達しているか否かを判定する。
ステップＳ２７：Ｓ２６の判定結果がＹｅｓの場合には、ポーリング管理部５７に対し、ポーリング省略（休止）の設定を行う。
ステップＳ２８：Ｓ２６の判定結果がＮｏの場合には、ポーリング管理部５７に対し、ポーリング省略（休止）設定の解除を行う。従って、ポーリング省略を行っている場合であっても、この判定でポーリング省略を解除することもできる。
ポーリング省略中に無線端末から送信されるデータに解除を求める通知を含め、その通知を検出することで、無線基地局は、ポーリング省略の解除を行うこともできる。その際には、無線基地局は、ポーリング省略中における送信データの内容を確認し、ポーリング省略の解除通知が含まれるかどうか判定する。
【００７８】
図９は、図７のＢＳ２における上りスケジューリング動作を示すフローチャート（その１）であり、図１０は同フローチャート（その２）である。Ｓ３１〜Ｓ４２は、スケジューラ４５における処理フローのステップである。この上りスケジューリング動作は、下りスケジューリングとともに毎フレーム実行される。なお、図９および１０は、本発明に係るポーリングを使用するコネクションについてのスケジューリングフローを表す。
【００７９】
ＢＳ２では、これらコネクション以外に、Ｒａｎｇｉｎｇ（図１５のＲｓ）などの制御用領域の設定や、ポーリングを使用しない他のコネクションに対するスケジューリングも行うが、図９および１０のフローチャートでは、それら他のスケジューリング動作については省略している。
【００８０】
（ａ）本発明に基づくポーリングの省略（休止）を考慮したスケジューリングフロー（ステップＳ３１〜Ｓ３７）
ステップＳ３１：コネクション情報（５８）より、各コネクションについて、前回ポーリングを行った時刻または前回ポーリングを省略（休止）した時刻を参照する。
ステップＳ３２：前回ポーリング（またはポーリングの省略）から現時点までの経過時間を算出し、コネクション情報（５８）として保持しているトラフィックパラメータであるポーリング間隔と、その経過時間とを比較する。経過時間がポーリング間隔と等しい場合には、本無線フレーム４でのポーリング対象となるコネクションの候補として抽出する。
ステップＳ３３：Ｓ３２で抽出したコネクションについて、ポーリング管理部５７におけるポーリング省略（休止）に関する設定情報をチェックし、省略（休止）中か否かを判定する。
ステップＳ３４：Ｓ３３にてＹｅｓ（ポーリング省略（休止）が設定されている）の場合、ユーザデータ送信用のＵＬバーストサイズを決定する。例えば、最大許容レートにポーリング間隔を乗じて得られたビット数をもとに、ＵＬバーストの無線リソース量に換算して決定しても良い。
【００８１】
ステップＳ３５：Ｓ３３にてＮｏ（ポーリング省略が設定されていない）の場合、ポーリング用のＵＬバーストサイズを決定する。これはＢＲメッセージのサイズである６バイトをもとに、ＵＬバーストの無線リソース量に換算する。
ステップＳ３６：Ｓ３４またはＳ３５で決定した無線リソース量に基づき、ＵＬサブフレーム上の無線リソース割当てを行い、ＵＬバーストを作成し、ＵＬ−ＭＡＰ（図１５）の更新を行う。すなわち作成したＵＬバーストを定義するＵＬ−ＭＡＰ  ＩＥを追加する。
ステップＳ３７：Ｓ３２で抽出したポーリング対象となるコネクションの候補の全てについて、ステップＳ３３〜Ｓ３６のポーリング処理が終了していない場合には、未処理のコネクションについて、Ｓ３３〜Ｓ３６を同様に繰り返す。全てのコネクションについてポーリング処理が終了した場合には、続いて通常のデータ用バースト割当てフロー（Ｓ３８以降）を実行する。
【００８２】
（ｂ）帯域要求（ＢＲ）に基づくデータ用バーストの割当てスケジューリングフロー（ステップＳ３８〜Ｓ４２）
ステップＳ３８：帯域要求管理部５４を参照して、ＢＲメッセージにより、ＵＬバースト割当て待ちのコネクションを抽出する。
ステップＳ３９：抽出したコネクションについて、ユーザデータ送信用のＵＬバーストサイズを決定する。これは、帯域要求ＢＲのサイズに基づき、ＵＬバーストの無線リソース量に換算する。
ステップＳ４０：Ｓ３９で決定した無線リソース量に基づき、ＵＬサブフレーム上の無線リソース割当てを行い、ＵＬバーストを作成し、ＵＬ−ＭＡＰの更新を行う。すなわち作成したＵＬバーストを定義するＵＬ−ＭＡＰ  ＩＥを追加する。
ステップＳ４１：ＵＬサブフレームにおける割当て可能な残り無線リソースの有無をチェックする。残り無線リソースが無い場合には、スケジューリング処理を終了する。
ステップＳ４２：Ｓ３８で抽出したコネクションの全てについて、割当てが終了したか否かを判定する。まだ割当てが未了のコネクションがある場合には、Ｓ３９〜Ｓ４０を同様に繰り返す。
【００８３】
図１１はＭＳ３の構成例を示すブロック図である。本図において、外部との通信インタフェースとして、アンテナＡＮＴを具備し、ＢＳ２との間で無線信号の送受信を行う無線インタフェース６５と、ユーザが利用するアプリケーション６１とを有する。
【００８４】
アプリケーションが生成したデータは、送信データバッファ部６２にて、ＳＤＵ（Service Data Unit）として一時的に保持される。その後、ＢＳ２から受信したＵＬ−ＭＡＰ（図１５）に基づき、ＵＬサブフレーム内にＵＬバーストが割り当てられると、ＰＤＵ生成部６３においてＳＤＵ／ＰＤＵ変換（ＭＡＣヘッダやＣＲＣの付与、フラグメント、バッキングなど）を行い、送信処理部６４において符号化と、変調と無線フレームの生成とを行った後、無線インタフェース６５により、上りデータ無線信号に変換されてＢＳ３へ送信される。
【００８５】
逆に、無線インタフェース６５を介して受信したＢＳ２からの下りデータ無線信号は、受信処理部７１において受信フレームの抽出と、復調と、復号化とが行われ、さらに識別部７２においてＤＬ−ＭＡＰとＵＬ−ＭＡＰとの振り分けを行う。
【００８６】
下りユーザデータの場合には、ＤＬ−ＭＡＰ解析部７３においてＤＬ−ＭＡＰの解析を行い、自身（ＭＳ）宛のＰＤＵが格納されたＤＬバーストからそのＰＤＵを取り出して、ＳＤＵ再生部７４にてＰＤＵ／ＳＤＵ変換（デフラグメント、デパッキング、ＭＡＣヘッダやＣＲＣの除去）を行った後、上位のアプリケーション６１へ渡す。
【００８７】
一方、ＵＬ−ＭＡＰは、ＵＬ−ＭＡＰ解析部７５にて解析され、帯域管理部７６へ入力される。この帯域管理部７６では、送信データバッファ６２における送信待ちの上りデータの有無をチェックし、ＵＬ−ＭＡＰによってＵＬバーストが割り当てられた場合には、ＰＤＵ生成部６３に対しＰＤＵの生成を指示する。
【００８８】
一方、ＵＬバーストが割り当てられていない場合には、メッセージ生成部７７にてＢＲメッセージを生成し、送信処理部６４を介してＢＳ２に、ＵＬバーストの割当てを要求する（ＢＲ）。
【００８９】
帯域管理部７６の指示に基づき、上りユーザデータをＢＳ３へ送信する場合には、当該ユーザデータについてのコネクション識別子とデータサイズとを、レート算出部７８に通知する。
【００９０】
レート算出部７８では、コネクション毎に、送信するユーザデータのサイズと送信時刻（フレーム番号）とから、そのコネクションの実効的な上り送信レートを算出する。例えば、今回送信するデータサイズを、前回ユーザデータを送信してからの経過時間で除算することにより、短期的な上り送信レートを算出しても良いし、あるいは過去の複数の送信データサイズと送信時刻とから、上り送信レートの移動平均を算出するようにしても良い。
【００９１】
次段の判定部７９では、上記のレート算出部７８において算出された上り送信レートと、コネクション確立時にネゴシエーションした最大許容レート（コネクション情報（８０）としてメモリに保持）とを比較して、最大許容レートに到達しているか否かを判定する。最大許容レートに到達しているならば、メッセージ生成部７７に対し、その旨をＢＳ２へ通知するためのメッセージの生成を依頼する。このメッセージは、例えばサブヘッダとして、上り送信データＰＤＵに付与し、ＢＳ２へ送信することが考えられる。
【００９２】
図１２は、図１１のＭＳ３におけるポーリング省略（休止）動作を示すフローチャートである。
ステップＳ５１：受信処理部７１にて、下り無線フレームを受信する。受信した下り無線フレームから、識別部７２においてＵＬ−ＭＡＰを抽出し、これを帯域管理部７６に通知する。
ステップＳ５２：帯域管理部７６にて、送信データバッファ６２を参照し、送信待ちの上りユーザデータがあるか否かチェックする。
ステップＳ５３：Ｓ５２でＹｅｓ（送信待ちの上りデータ有り）の場合には、ＵＬ−ＭＡＰによって割り当てられたＵＬバーストサイズに基づき、送信待ち上りデータの送信データサイズを決定する。このとき、当該コネクションの識別子と決定した送信データサイズとを、レート算出部７８に通知する。
ステップＳ５４：レート算出部７８では、受信データサイズと、現在時刻と、前回受信時刻とから、ＭＳ３からＢＳ２への上りデータの送信レートを算出する。算出した送信レートは、コネクション識別子とともに、判定部７９へ入力される。
【００９３】
ステップＳ５５：判定部７９にて、コネクション識別子により識別されるコネクションに関するコネクションに関するトラフィックパラメータ（最大許容レート）について、コネクション情報（８０）を参照する。
ステップＳ５６：さらにこの判定部７９にて、算出した上りデータ送信レートが、最大許容レートに到達しているか否かを判定する。
ステップＳ５７：Ｓ５６の判定結果がＹｅｓの場合には、最大許容レートに到達したことを通知するためのメッセージを、メッセージ生成部７７にて生成する。
ステップＳ５８：一方、送信ＰＤＵをＰＤＵ生成部６３にて生成する。上記ステップＳ５７にて最大許容レート到達の通知メッセージを生成した場合には、ここで生成した送信ＰＤＵに、該最大許容レート通知メッセージを付与する。
ステップＳ５９：Ｓ５８で生成した送信ＰＤＵを、ＵＬ−ＭＡＰにて割り当てられたＵＬサブフレーム上の無線リソースを用いて、ＢＳ２へ送信する。
【００９４】
図１３は、図１１のＭＳ３に連携するＢＳ２の構成例を示すブロック図である。図７に示したＢＳ２の構成例と異なる点は、図７のレート算出部５５および判定部５６を持たない点である。これは、図１１に示すＭＳ３の側において最大許容レートに到達しているか否かの判定を行っているからであり、到達している場合には、最大レート通知メッセージによりＭＳ３からＢＳ２へ、その到達した事実が通知されるので、ＢＳ自身では送信レートの算出や最大許容レートの到達判定を行う必要がない。
【００９５】
ＭＳ３からＢＳ２に最大許容レート到達の通知メッセージが送信された場合には、識別部５２において当該通知メッセージが抽出され、ポーリング管理部５７に、ポーリング省略（休止）の設定が行われる。その後のスケジューラ４５による上りスケジューリングの決定動作は、図９に示すフローチャートに示すとおりである。
【００９６】
以下、上述実施例について、異なる複数の表現を用いて記載しておく。
【００９７】
（付記１）
無線通信装置に対する無線リソースの割当て方法において、
ポーリング信号の送信を行って、該ポーリング信号に対する応答信号に従って、データ送信用の無線リソースの割当てを行い、
ポーリング信号の送信を省略する条件を満たすと判定すると、ポーリング信号の送信を休止して、データ送信用の無線リソースの割当てを行う、
ことを特徴とする無線リソースの割当て方法。
（付記２）
無線端末から無線基地局に送信される上りデータの送信レートを算出するステップと、
前記の算出された送信レートが最大許容レートに到達したか否かを判定するステップと、
前記送信レートが最大許容レートに到達したと判定されたときに、前記ポーリングを休止するステップと、
前記ポーリングの休止分に相当する無線リソースも加えて、前記上りデータのための無線リソースを割り当てるステップと、
を有する付記１記載の上り無線リソースの割当て方法。
【００９８】
（付記３）
前記の判定ステップにおいて、算出された前記送信レートが最大許容レート未満であるとき、前記無線端末に対し前記ポーリングを実行する付記２に記載の上り無線リソースの割当て方法。
【００９９】
（付記４）
前記の算出ステップと、前記の判定ステップとを、前記無線基地局において行う付記２に記載の上り無線リソースの割当て方法。
【０１００】
（付記５）
前記の算出ステップと、前記の判定ステップとを、少なくとも１つの前記無線端末において行い、かつ、
当該無線端末において、前記算出された送信レートが最大許容レートに到達したと判定されたときに、前記ポーリングを休止すべき旨の通知を、前記無線基地局に送信する付記２に記載の上り無線リソースの割当て方法。
【０１０１】
（付記６）
前記の判定ステップにおいて、前記送信レートが最大許容レートに到達した回数をカウントし、前記の最大許容レート到達回数が規定回数に到達したと判定したとき、前記の休止ステップを実行する付記１に記載の上り無線リソースの割当て方法。
【０１０２】
（付記７）
前記の割当てステップにおいて、割当て回数をカウントし、その割当て回数が規定回数に到達するまで前記の休止ステップを実行する付記２に記載の上り無線リソースの割当て方法。
【０１０３】
（付記８）
前記の割当てステップにおいて、前記判定ステップにより前記の算出された送信レートが最大許容レートに到達したと判定されてからの経過時間を計測し、その経過時間が規定時間に到達するまで前記の休止ステップを実行する付記２に記載の上り無線リソースの割当て方法。
【０１０４】
（付記９）
無線基地局と、データを収容する無線リソースの割当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおける該無線基地局であって、
前記無線端末から受信した上りデータの送信レートを算出する算出機能部と、
前記の算出された送信レートが最大許容レートに到達したか否かを判定する判定機能部と、
前記送信レートが最大許容レートに到達したと判定されたときに、前記ポーリングを休止して、そのポーリングの休止分に相当する無線リソースも加えて、前記上りデータのための無線リソースを割り当てる割当て機能部と、
を有する無線基地局。
【０１０５】
（付記１０）
前記割当て機能部は、前記の算出された送信レートが最大許容レート未満であるとき、前記無線端末に対し前記ポーリングを実行する付記９に記載の無線基地局。
【０１０６】
（付記１１）
無線基地局と、データを収容するスロットの割り当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおける該無線基地局であって、
前記無線端末内において上りデータの送信レートを算出し、その算出された送信レートが最大許容レートに到達したことを判定したときに該無線端末より通知される最大レート情報を受信する最大レート受信機能部と、
前記最大レート情報を受信したときに、前記ポーリングを休止して、そのポーリングの休止分に相当する無線リソースも加えて、前記上りデータのための無線リソースを割り当てる割当て機能部と、
を有する無線基地局。
【０１０７】
（付記１２）
前記割当て機能部は、前記の算出された送信レートが最大許容レート未満であることが通知されていないとき、前記無線端末に対し前記ポーリングを実行する付記１１に記載の無線基地局。
【０１０８】
（付記１３）
付記９又は１０に記載の無線基地局と連携する無線端末。
【０１０９】
（付記１４）
無線基地局と、データを収容するスロットの割り当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおける該無線端末であって、
前記無線基地局に送信される上りデータの送信レートを算出する算出機能部と、
前記の算出された送信レートが最大許容レートに到達したか否かを判定する判定機能部と、
前記の算出された送信レートが最大許容レートに到達したことを判定したときに前記無線基地局に最大レート情報を通知する最大レート情報送信機能部と、を含んでなり、
前記無線基地局は、該最大レート情報が通知されたとき、前記ポーリングを休止して、そのポーリングの休止分に相当する無線リソースも加えて、前記上りデータのための無線リソースを割り当てる無線端末。
【０１１０】
（付記１５）
無線基地局と、データを収容する無線リソースの割当てを受けて上りデータを該無線基地局に送信する複数の無線端末とを備え、該無線基地局からのポーリングとこれに応答する各該無線端末からの上りデータ送信要求とに基づいて上り無線リソースの割当てが行われる無線通信システムにおいて、コンピュータに、
各前記無線端末から前記無線基地局に送信される上りデータの送信レートを算出する手順と、
前記の算出された送信レートが最大許容レートに到達したか否かを判定する手順と、
前記送信レートが最大許容レートに到達したと判定されたときに、前記ポーリングを休止する手順と、
前記ポーリングの休止分に相当する無線リソースも加えて、前記上りデータのための無線リソースを割り当てる手順と、
を有する上り無線リソースの割当てプログラム。
【図面の簡単な説明】
【０１１１】
【図１】本明細書で開示する一実施形態による上り無線リソースの割当て方法を示すフローチャートである。
【図２】本明細書で開示する一実施形態による無線基地局（ＢＳ）２を示すブロック図である。
【図３】本明細書で開示する他の一実施形態による無線基地局（ＢＳ）２を示すブロック図である。
【図４】図３の無線基地局（ＢＳ）２と連携する無線端末（ＭＳ）３の一実施形態を示すブロック図である。
【図５】本明細書で開示する一実施形態による、無線端末３における上りデータの発生（Ａ）と、無線基地局−無線端末間での送信制御の様子（Ｂ）を示す図である。
【図６】本明細書で開示する他の一実施形態による、無線端末３における上りデータの発生（Ａ）と、無線基地局−無線端末間での送信制御の様子（Ｂ）を示す図である。
【図７】無線基地局（ＢＳ）２の詳細な構成例を示すブロック図である。
【図８】図７の無線基地局（ＢＳ）２におけるポーリング省略（休止）動作を示すフローチャートである。
【図９】図７の無線基地局（ＢＳ）２における上りスケジューリング動作を示すフローチャート（その１）である。
【図１０】図７の無線基地局（ＢＳ）２における上りスケジューリング動作を示すフローチャート（その２）である。
【図１１】無線端末（ＭＳ）３の詳細な構成例を示すブロック図である。
【図１２】図１１の無線端末（ＭＳ）３におけるポーリング省略（休止）動作を示すフローチャートである。
【図１３】図１１の無線端末（ＭＳ）３に連携する無線基地局（ＢＳ）２の構成例を示すブロック図である。
【図１４】典型的な無線通信システム１の構成例を示す図である。
【図１５】ＩＥＥＥ８０２．１６ｅに準拠した無線フレーム４の一例を示す図である。
【図１６】無線端末３における上りデータの発生（Ａ）と、無線基地局−無線端末間での送信制御の様子（Ｂ）を示す図である。
【符号の説明】
【０１１２】
１    無線通信システム
２    無線基地局（ＢＳ）
３    無線端末（ＭＳ）
４    無線フレーム
２１    算出機能部
２２    判定機能部
２３    割当て機能部
２４    受信機能部
２５    割当て機能部
３１    算出機能部
３２    判定機能部
３３    最大レート情報送信機能部
【図１】
0005076992.tif 000002
【図２】
0005076992.tif 000003
【図３】
0005076992.tif 000004
【図４】
0005076992.tif 000005
【図５】
0005076992.tif 000006
【図６】
0005076992.tif 000007
【図７】
0005076992.tif 000008
【図８】
0005076992.tif 000009
【図９】
0005076992.tif 000010
【図１０】
0005076992.tif 000011
【図１１】
0005076992.tif 000012
【図１２】
0005076992.tif 000013
【図１３】
0005076992.tif 000014
【図１４】
0005076992.tif 000015
【図１５】
0005076992.tif 000016
【図１６】
0005076992.tif 000017